(57)【要約】  【課題】  本発明は、鍵管理機への使用者登録及び鍵管理機に記録された利用履歴の閲覧がネットワーク上の端末装置からも可能なシステムを構成することができる鍵管理機用サーバ及び鍵管理機を提供することを目的とする。  【解決手段】  鍵管理機サーバ２は、通信ネットワーク１によって、各店舗ＬＡＮ３に接続された鍵管理機４、役員用端末装置５、及び一般端末装置６それぞれと通信を行うことができる。この鍵管理機サーバ２を介することで、鍵管理機４の使用者登録や利用履歴の閲覧が、鍵管理機サーバ２によって許可された役員用端末装置５及び一般端末装置６で行うことができる。【選択図】      図１
2008045349.tif 000002
【特許請求の範囲】
【請求項１】
複数の鍵が保持されるとともに当該複数の鍵の貸し出しを管理する鍵管理機とネットワークを介して通信接続する通信インターフェースを備える鍵管理機用サーバにおいて、
前記端末装置による通信の可否を確認する利用可否確認部と、
前記鍵管理機の登録内容の変更と、該登録内容の変更先となる前記鍵管理機とを確認する登録変更確認部と、
前記登録変更確認部で確認された前記登録内容の変更を、前記登録変更確認部で確認された送信先となる前記鍵管理機へ送信する送信信号とし、前記通信インターフェースにより前記ネットワークを介して前記鍵管理機へ送信する第１送信信号生成部と、
を備え、
前記通信インターフェースを通じて前記端末装置から前記鍵管理機の登録内容の変更を行うことが要求されると、まず、前記端末装置による登録内容の変更の可否が前記利用可否確認部で確認され、
そして、前記利用可否確認部で前記端末装置による登録内容の変更が許可されていることが確認されると、前記登録変更確認部で前記登録内容の変更を確認した後、確認した前記登録内容の変更を指示する送信信号を前記第１送信信号生成部で生成して、前記登録変更確認部で前記端末装置からの入力より認識された前記鍵管理機に対して、前記通信インターフェースより送信することを特徴とする鍵管理機用サーバ。
【請求項２】
前記端末装置による前記鍵管理機の登録内容の設定に使用される第１アプリケーションを備え、
前記通信インターフェースを通じて前記端末装置から前記鍵管理機の登録内容の変更を行うことが要求されると、まず、前記端末装置による登録内容の変更の可否が前記利用可否確認部で確認され、
そして、前記利用可否確認部で前記端末装置による登録内容の変更が許可されていることが確認されると、前記通信インターフェースより前記第１アプリケーションを要求した前記端末装置に送信した後、
前記端末装置が前記第１アプリケーションを利用した入力を前記通信インターフェースで受信すると、前記第１アプリケーションを利用した入力に基づいて前記登録変更確認部で前記登録内容の変更を確認した後、確認した前記登録内容の変更を指示する送信信号を前記第１送信信号生成部で生成して、前記登録変更確認部で前記端末装置からの入力より認識された前記鍵管理機に対して、前記通信インターフェースより送信することを特徴とする請求項１に記載の鍵管理機用サーバ。
【請求項３】
利用履歴の閲覧が要求されている前記鍵管理機を確認するとともに、前記鍵管理機に記録された前記鍵管理機の利用履歴を前記通信インターフェースにより取得する履歴取得部と、
前記利用履歴の送信を要求する送信信号を生成して、前記履歴取得部で確認した前記鍵管理機に対して前記通信インターフェースにより前記ネットワークを介して送信する第２送信信号生成部と、
を備え、
前記通信インターフェースを通じて前記端末装置から前記鍵管理機の利用履歴の閲覧を行うことが要求されると、まず、前記端末装置による利用履歴の閲覧の可否が前記利用可否確認部で確認され、
そして、前記利用可否確認部で前記端末装置による利用履歴の閲覧が許可されていることが確認されると、前記履歴取得部が、前記履歴取得部で利用履歴の閲覧が所望されている前記鍵管理機を確認した後に、確認した前記鍵管理機に対して前記第２送信信号生成部で生成した送信信号を前記通信インターフェースより送信することで、前記鍵管理機の利用履歴を取得し、取得した前記鍵管理機の利用履歴を、前記端末装置に対して、前記通信インターフェースより送信することを特徴とする請求項１又は請求項２に記載の鍵管理機用サーバ。
【請求項４】
前記端末装置による前記鍵管理機の利用履歴の閲覧に使用される第２アプリケーションを備え、
前記通信インターフェースを通じて前記端末装置から前記鍵管理機の利用履歴の閲覧を行うことが要求されると、まず、前記端末装置による利用履歴の閲覧の可否が前記利用可否確認部で確認され、
そして、前記利用可否確認部で前記端末装置による利用履歴の閲覧が許可されていることが確認されると、前記通信インターフェースより前記第２アプリケーションを要求した前記端末装置に送信した後、
前記端末装置が前記第２アプリケーションを利用した入力を前記通信インターフェースで受信すると、
前記履歴取得部が、前記第２アプリケーションを利用した入力に基づいて前記履歴取得部で利用履歴の閲覧が所望されている前記鍵管理機を確認した後に、確認した前記鍵管理機に対して前記第２送信信号生成部で生成した送信信号を前記通信インターフェースより送信することで確認した前記鍵管理機の利用履歴を取得し、
取得した前記鍵管理機の利用履歴を、前記第２アプリケーションを利用している前記端末装置に対して、前記通信インターフェースより送信することを特徴とする請求項３に記載の鍵管理機用サーバ。
【請求項５】
前記履歴取得部によって取得された前記鍵管理機の利用履歴を記録する履歴記録部を備え、
前記鍵管理機の利用履歴を前記履歴取得部によって取得することで前記履歴記録部に記録した前記鍵管理機の利用履歴を更新するとともに、
前記端末装置から前記鍵管理機の利用履歴の要求があったとき、前記端末装置に送信する前記鍵管理機の利用履歴を前記履歴記録部より読み出して取得することを特徴とする請求項３又は請求項４に記載の鍵管理機用サーバ。
【請求項６】
前記登録変更確認部で設定が確認された前記登録内容を送信信号とし、前記通信インターフェースにより前記ネットワークを介して前記鍵管理機の登録内容の承認が成される承認用端末装置に送信する第３送信信号生成部と、
前記通信インターフェースにより受信された前記承認用端末装置からの信号によって、前記鍵管理機の登録内容の承認／非承認を確認する承認確認部と、
を備え、
前記登録変更確認部で前記鍵管理機の登録内容の変更を確認したとき、
変更後の前記鍵管理機の登録内容による送信信号を第３送信信号生成部で生成して、前記通信インターフェースより前記承認用端末装置に送信した後、
前記通信インターフェースで受信した前記承認用端末装置からの信号より前記鍵管理機の登録内容の承認を前記承認確認部で確認すると、前記登録変更確認部で確認した前記登録内容の変更を指示する送信信号を前記第１送信信号生成部で生成して、前記登録変更確認部で前記端末装置からの入力より認識された前記鍵管理機に対して、前記通信インターフェースより送信することを特徴とする請求項１〜請求項５のいずれかに記載の鍵管理機用サーバ。
【請求項７】
前記端末装置毎に利用可能な前記鍵管理機の機能内容が設定される端末機能設定部を備え、
前記端末機能設定部が、前記通信インターフェースにより前記端末装置から受信した信号により、前記端末装置から利用要求される前記鍵管理機の機能内容を確認し、要求された当該鍵管理機の機能内容に対する利用の可否が確認されることを特徴とする請求項１〜請求項６のいずれかに記載の鍵管理機用サーバ。
【請求項８】
前記鍵を利用可能とする解除命令を送信信号とし、前記通信インターフェースにより前記ネットワークを介して前記鍵管理機へ送信する第４送信信号生成部を備え、
前記鍵管理機で管理される鍵を利用可能とすることを要求する信号を前記通信インターフェースにより受信したとき、
前記端末機能設定部において、当該信号を送信した前記端末装置に対して、前記鍵を利用可能とする機能の利用許可を確認すると、前記鍵を利用可能とする解除命令による送信信号を前記第４送信信号生成部で生成して、前記端末装置により指示される前記鍵管理機に対して、前記通信インターフェースより送信することを特徴とする請求項７に記載の鍵管理機用サーバ。
【請求項９】
前記鍵管理機の登録内容を記録する登録内容記録部を備え、
前記鍵管理機に対して前記登録内容の変更を行う際、前記登録内容記録部内に記録した前記鍵管理機の登録内容も変更することを特徴とする請求項１〜請求項８のいずれかに記載の鍵管理機用サーバ。
【請求項１０】
複数の鍵それぞれを保持する複数の鍵保持部と、複数の該鍵保持部の設置部を被覆する扉体と、前記鍵保持部及び前記扉体の施錠／解錠が許可された使用者に関する登録内容を記録する登録内容記録部を備え、前記鍵保持部それぞれの施錠／解錠によって前記鍵それぞれの管理を行い、前記扉体の施錠／解錠によって前記鍵保持部で保持された全ての前記鍵の管理を行う鍵管理機において、
ネットワークを介して端末装置と通信接続する通信インターフェースと、
前記端末装置による通信の可否を確認する利用可否確認部と、
前記登録内容記録部内の登録内容の変更を確認する登録変更確認部と、
を備え、
前記通信インターフェースを通じて前記端末装置から前記鍵管理機の登録内容の変更を行うことが要求されると、まず、前記端末装置による登録内容の変更の可否が前記利用可否確認部で確認され、
そして、前記利用可否確認部で前記端末装置による登録内容の変更が許可されていることが確認されると、前記登録変更確認部で確認した前記登録内容の変更に基づいて、前記登録内容記録部内の登録内容の変更を行うことを特徴とする鍵管理機。
【請求項１１】
前記鍵管理機の利用履歴を記録する履歴記録部と、
前記履歴記録部に記録された前記鍵管理機の利用履歴を送信信号とし、前記通信インターフェースにより前記ネットワークを介して前記端末装置へ送信する第５送信信号生成部と、
を備え、
前記通信インターフェースを通じて前記端末装置から前記鍵管理機の利用履歴の閲覧を行うことが要求されると、まず、前記端末装置による利用履歴の閲覧の可否が前記利用可否確認部で確認され、
そして、前記利用可否確認部で前記端末装置による利用履歴の閲覧が許可されていることが確認されると、前記履歴記録部から読み出した前記鍵管理機の利用履歴による送信信号を前記第５送信信号生成部で生成して、前記端末装置に対して、前記通信インターフェースより送信することを特徴とする請求項１０に記載の鍵管理機。
【請求項１２】
前記端末装置による前記鍵管理機の利用履歴の閲覧に使用される第２アプリケーションを備え、
前記通信インターフェースを通じて前記端末装置から前記鍵管理機の利用履歴の閲覧を行うことが要求されると、まず、前記端末装置による利用履歴の閲覧の可否が前記利用可否確認部で確認され、
そして、前記利用可否確認部で前記端末装置による利用履歴の閲覧が許可されていることが確認されると、前記通信インターフェースより前記第２アプリケーションを要求した前記端末装置に送信した後、
前記端末装置が前記第２アプリケーションを利用した入力を前記通信インターフェースで受信すると、前記第２アプリケーションを利用した入力に基づいて前記履歴記録部から読み出した前記鍵管理機の利用履歴による送信信号を前記第５送信信号生成部で生成して、前記第２アプリケーションを利用している前記端末装置に対して、前記通信インターフェースより送信することを特徴とする請求項１１に記載の鍵管理機。
【請求項１３】
前記登録変更確認部で設定が確認された前記登録内容を送信信号とし、前記通信インターフェースにより前記ネットワークを介して前記鍵管理機の登録内容の承認が成される承認用端末装置に送信する第３送信信号生成部と、
前記通信インターフェースにより受信された前記承認用端末装置からの信号によって、前記鍵管理機の登録内容の承認／非承認を確認する承認確認部と、
を備え、
前記登録変更確認部で前記鍵管理機の登録内容の変更を確認したとき、
変更後の前記鍵管理機の登録内容による送信信号を第３送信信号生成部で生成して、前記通信インターフェースより前記承認用端末装置に送信した後、
前記通信インターフェースで受信した前記承認用端末装置からの信号より前記鍵管理機の登録内容の承認を前記承認確認部で確認すると、前記登録変更確認部で確認した前記登録内容の変更に基づいて、前記登録内容記録部内の登録内容の変更を行うことを特徴とする請求項１０〜請求項１２のいずれかに記載の鍵管理機。
【請求項１４】
複数の鍵が保持されるとともに当該複数の鍵の貸し出しを管理する鍵管理機と、該鍵管理機とネットワークを介して接続される鍵管理機用サーバと、該鍵管理機用サーバと前記ネットワークを介して通信を行う端末装置と、を備える鍵管理システムにおいて、
前記鍵管理機用サーバが、請求項１〜請求項９のいずれかに記載の鍵管理機用サーバであることを特徴とする鍵管理システム。
【請求項１５】
複数の鍵が保持されるとともに当該複数の鍵の貸し出しを管理する鍵管理機と、該鍵管理機とネットワークを介して接続される端末装置と、を備える鍵管理システムにおいて、
前記鍵管理機が、請求項１０〜請求項１３のいずれかに記載の鍵管理機であることを特徴とする鍵管理システム。
【発明の詳細な説明】
【技術分野】
【０００１】
本発明は、複数の鍵の貸し出しを管理する鍵管理機、この鍵管理機の管理を行う鍵管理機用サーバ、及び、この鍵管理機を通信ネットワーク上で管理する鍵管理システムに関する。
【背景技術】
【０００２】
従来より、建物の部屋や車両や自動現金預け払い機（ＡＴＭ：Automated Teller Machine）などの管理を行うための複数の鍵に対して、その貸し出しを管理するための鍵管理機が使用されている（特許文献１、特許文献２参照）。この鍵管理機は、本体となる筺体内に、各鍵を保持するとともに解錠／施錠されることで鍵の管理を行う鍵管理部材を備え、そして、この筺体を覆う扉体の解錠／施錠を行うことで、鍵管理機内に保持された全ての鍵の管理が行われる。又、鍵管理機は、各鍵の使用者及び扉体の解錠可能な使用者が登録され、カード照合やキー入力照合により登録された使用者の認証が行われる。更に、鍵の貸し出しに関する利用履歴を記録し、出力の要求があったとき、プリンタなどによって利用履歴が出力される。
【０００３】
このような鍵管理機を更に通信制御可能な構成とし、インターネットと接続されたサーバによって管理されるシステムが提案されている（特許文献３、特許文献４参照）。特許文献３における鍵管理機を通信制御するシステムは、鍵管理機と通信を行う通信制御装置兼サーバと、このサーバとインターネットを通じて通信接続することで各鍵管理機を管理する管理センターとから構成されている。そして、鍵の利用者が管理センターと通信を行うことでパスワードを受け取ると、カード照合を鍵管理機で行うとともに受け取ったパスワードを入力することによって、鍵管理機で管理されている鍵の利用許可の申請が行われる。この利用許可の申請を行う際、サーバを通じて管理センターと鍵管理機とが通信を行うことで、管理センターで認証が行われて、利用許可／禁止の設定が成される。
【０００４】
特許文献４における鍵管理システムにおいては、携帯電話やパソコンなどの端末装置から管理サーバに通信接続を行い、管理サーバが管理を行う鍵管理機の利用予約が可能な構成とされている。この鍵管理システムでは、管理サーバにおいて、鍵管理機に管理された鍵の予約を行う利用者情報と共に、鍵の貸し出し状態及び予約状態が記録されている。そして、鍵の貸し出しについては、鍵管理機に入力された予約情報が管理サーバに与えられることで、貸し出し可能か否かを管理サーバで判断する。
【特許文献１】特許第２７７４８８９号公報
【特許文献２】特許第３１８２２５８号公報
【特許文献３】特開２００４−３００６８３号公報
【特許文献４】特開２００５−１８８１９９号公報
【発明の開示】
【発明が解決しようとする課題】
【０００５】
上述のように、特許文献３のようなシステムを構築することによって、遠隔地に存在する管理センターによって鍵管理機を管理することができる。しかしながら、鍵管理機を利用するための認証動作を行う際に管理センターを常に介在する必要があるため、管理センターへの通信トラフィックが集中する場合などにおいては、その認証動作に時間がかかるという問題が発生する。又、特許文献３によるシステムは、利用者を鍵管理機に登録するシステムではなく、管理センターに登録する必要があり、管理センターにかかる負担が大きくなる。
【０００６】
又、従来の鍵管理機において、利用者の登録及び利用履歴の閲覧が可能な構成とされているが、通信ネットワークを通じて端末装置による鍵管理機に対して利用者の登録及び利用履歴の閲覧が可能な構成でない。即ち、特許文献４の鍵管理システムのように、通信ネットワークに接続された任意の端末装置より利用者の登録や利用履歴の閲覧は、管理サーバに格納された使用者登録用のテーブルや利用履歴テーブルを参照することによって行われている。よって、特許文献３のシステムと同様、鍵管理機で管理される鍵の施錠／解錠について、管理サーバを介在して行う必要がある。
【０００７】
このような問題を鑑みて、本発明は、鍵管理機への使用者登録及び鍵管理機に記録された利用履歴の閲覧がネットワーク上の端末装置からも可能なシステムを構成することができる鍵管理機用サーバ及び鍵管理機を提供することを目的とする。又、本発明は、鍵管理機への使用者登録及び鍵管理機に記録された利用履歴の閲覧がネットワーク上の端末装置からも可能な鍵管理システムを提供することを別の目的とする。
【課題を解決するための手段】
【０００８】
上記目的を達成するために、本発明の鍵管理機用サーバは、複数の鍵が保持されるとともに当該複数の鍵の貸し出しを管理する鍵管理機とネットワークを介して通信接続する通信インターフェースを備える鍵管理機用サーバにおいて、前記端末装置による通信の可否を確認する利用可否確認部と、前記鍵管理機の登録内容の変更と、該登録内容の変更先となる前記鍵管理機とを確認する登録変更確認部と、前記登録変更確認部で確認された前記登録内容の変更を、前記登録変更確認部で確認された送信先となる前記鍵管理機へ送信する送信信号とし、前記通信インターフェースにより前記ネットワークを介して前記鍵管理機へ送信する第１送信信号生成部と、を備え、前記通信インターフェースを通じて前記端末装置から前記鍵管理機の登録内容の変更を行うことが要求されると、まず、前記端末装置による登録内容の変更の可否が前記利用可否確認部で確認され、そして、前記利用可否確認部で前記端末装置による登録内容の変更が許可されていることが確認されると、前記登録変更確認部で前記登録内容の変更を確認した後、確認した前記登録内容の変更を指示する送信信号を前記第１送信信号生成部で生成して、前記登録変更確認部で前記端末装置からの入力より認識された前記鍵管理機に対して、前記通信インターフェースより送信することを特徴とする。
【０００９】
この鍵管理機用サーバにおいて、前記端末装置による前記鍵管理機の登録内容の設定に使用される第１アプリケーションを備え、前記通信インターフェースを通じて前記端末装置から前記鍵管理機の登録内容の変更を行うことが要求されると、まず、前記端末装置による登録内容の変更の可否が前記利用可否確認部で確認され、そして、前記利用可否確認部で前記端末装置による登録内容の変更が許可されていることが確認されると、前記通信インターフェースより前記第１アプリケーションを要求した前記端末装置に送信した後、前記端末装置が前記第１アプリケーションを利用した入力を前記通信インターフェースで受信すると、前記第１アプリケーションを利用した入力に基づいて前記登録変更確認部で前記登録内容の変更を確認した後、確認した前記登録内容の変更を指示する送信信号を前記第１送信信号生成部で生成して、前記登録変更確認部で前記端末装置からの入力より認識された前記鍵管理機に対して、前記通信インターフェースより送信するものとしても構わない。
【００１０】
又、利用履歴の閲覧が要求されている前記鍵管理機を確認するとともに、前記鍵管理機に記録された前記鍵管理機の利用履歴を前記通信インターフェースにより取得する履歴取得部と、前記利用履歴の送信を要求する送信信号を生成して、前記履歴取得部で確認した前記鍵管理機に対して前記通信インターフェースにより前記ネットワークを介して送信する第２送信信号生成部と、を備え、前記通信インターフェースを通じて前記端末装置から前記鍵管理機の利用履歴の閲覧を行うことが要求されると、まず、前記端末装置による利用履歴の閲覧の可否が前記利用可否確認部で確認され、そして、前記利用可否確認部で前記端末装置による利用履歴の閲覧が許可されていることが確認されると、前記履歴取得部が、前記履歴取得部で利用履歴の閲覧が所望されている前記鍵管理機を確認した後に、確認した前記鍵管理機に対して前記第２送信信号生成部で生成した送信信号を前記通信インターフェースより送信することで、前記鍵管理機の利用履歴を取得し、取得した前記鍵管理機の利用履歴を、前記端末装置に対して、前記通信インターフェースより送信するものとしても構わない。
【００１１】
このとき、前記端末装置による前記鍵管理機の利用履歴の閲覧に使用される第２アプリケーションを備え、前記通信インターフェースを通じて前記端末装置から前記鍵管理機の利用履歴の閲覧を行うことが要求されると、まず、前記端末装置による利用履歴の閲覧の可否が前記利用可否確認部で確認され、そして、前記利用可否確認部で前記端末装置による利用履歴の閲覧が許可されていることが確認されると、前記通信インターフェースより前記第２アプリケーションを要求した前記端末装置に送信した後、前記端末装置が前記第２アプリケーションを利用した入力を前記通信インターフェースで受信すると、前記履歴取得部が、前記第２アプリケーションを利用した入力に基づいて前記履歴取得部で利用履歴の閲覧が所望されている前記鍵管理機を確認した後に、確認した前記鍵管理機に対して前記第２送信信号生成部で生成した送信信号を前記通信インターフェースより送信することで確認した前記鍵管理機の利用履歴を取得し、取得した前記鍵管理機の利用履歴を、前記第２アプリケーションを利用している前記端末装置に対して、前記通信インターフェースより送信するものとしても構わない。
【００１２】
更に、前記履歴取得部によって取得された前記鍵管理機の利用履歴を記録する履歴記録部を備え、前記鍵管理機の利用履歴を前記履歴取得部によって取得することで前記履歴記録部に記録した前記鍵管理機の利用履歴を更新するとともに、前記第前記端末装置から前記鍵管理機の利用履歴の要求があったとき、前記端末装置に送信する前記鍵管理機の利用履歴を前記履歴記録部より読み出して取得するものとしても構わない。
【００１３】
又、前記登録変更確認部で設定が確認された前記登録内容を送信信号とし、前記通信インターフェースにより前記ネットワークを介して前記鍵管理機の登録内容の承認が成される承認用端末装置に送信する第３送信信号生成部と、前記通信インターフェースにより受信された前記承認用端末装置からの信号によって、前記鍵管理機の登録内容の承認／非承認を確認する承認確認部と、を備え、前記登録変更確認部で前記鍵管理機の登録内容の変更を確認したとき、変更後の前記鍵管理機の登録内容による送信信号を第３送信信号生成部で生成して、前記通信インターフェースより前記承認用端末装置に送信した後、前記通信インターフェースで受信した前記承認用端末装置からの信号より前記鍵管理機の登録内容の承認を前記承認確認部で確認すると、前記登録変更確認部で確認した前記登録内容の変更を指示する送信信号を前記第１送信信号生成部で生成して、前記登録変更確認部で前記端末装置からの入力より認識された前記鍵管理機に対して、前記通信インターフェースより送信するものとしても構わない。
【００１４】
又、前記端末装置毎に利用可能な前記鍵管理機の機能内容が設定される端末機能設定部を備え、前記端末機能設定部が、前記通信インターフェースにより前記端末装置から受信した信号により、前記端末装置から利用要求される前記鍵管理機の機能内容を確認し、要求された当該鍵管理機の機能内容に対する利用の可否が確認されるものとしても構わない。
【００１５】
このとき、前記鍵を利用可能とする解除命令を送信信号とし、前記通信インターフェースにより前記ネットワークを介して前記鍵管理機へ送信する第４送信信号生成部を備え、
前記鍵管理機で管理される鍵を利用可能とすることを要求する信号を前記通信インターフェースにより受信したとき、前記端末機能設定部において、当該信号を送信した前記端末装置に対して、前記鍵を利用可能とする機能の利用許可を確認すると、前記鍵を利用可能とする解除命令による送信信号を前記第４送信信号生成部で生成して、前記端末装置により指示される前記鍵管理機に対して、前記通信インターフェースより送信するものとしても構わない。
【００１６】
又、上述の鍵管理機用サーバにおいて、前記鍵管理機の登録内容を記録する登録内容記録部を備え、前記鍵管理機に対して前記登録内容の変更を行う際、前記登録内容記録部内に記録した前記鍵管理機の登録内容も変更するものとしても構わない。
【００１７】
本発明の鍵管理システムは、複数の鍵が保持されるとともに当該複数の鍵の貸し出しを管理する鍵管理機と、該鍵管理機とネットワークを介して接続される鍵管理機用サーバと、該鍵管理機用サーバと前記ネットワークを介して通信を行う端末装置と、を備える鍵管理システムにおいて、前記鍵管理機用サーバが、上述のいずれかの鍵管理機用サーバであることを特徴とする。
【００１８】
本発明の鍵管理機は、複数の鍵それぞれを保持する複数の鍵保持部と、複数の該鍵保持部の設置部を被覆する扉体と、前記鍵保持部及び前記扉体の施錠／解錠が許可された使用者に関する登録内容を記録する登録内容記録部を備え、前記鍵保持部それぞれの施錠／解錠によって前記鍵それぞれの管理を行い、前記扉体の施錠／解錠によって前記鍵保持部で保持された全ての前記鍵の管理を行う鍵管理機において、ネットワークを介して端末装置と通信接続する通信インターフェースと、前記端末装置による通信の可否を確認する利用可否確認部と、前記登録内容記録部内の登録内容の変更を確認する登録変更確認部と、を備え、前記通信インターフェースを通じて前記端末装置から前記鍵管理機の登録内容の変更を行うことが要求されると、まず、前記端末装置による登録内容の変更の可否が前記利用可否確認部で確認され、そして、前記利用可否確認部で前記端末装置による登録内容の変更が許可されていることが確認されると、前記登録変更確認部で確認した前記登録内容の変更に基づいて、前記登録内容記録部内の登録内容の変更を行うことを特徴とする。
【００１９】
このような鍵管理機において、前記鍵管理機の利用履歴を記録する履歴記録部と、前記履歴記録部に記録された前記鍵管理機の利用履歴を送信信号とし、前記通信インターフェースにより前記ネットワークを介して前記端末装置へ送信する第５送信信号生成部と、を備え、前記通信インターフェースを通じて前記端末装置から前記鍵管理機の利用履歴の閲覧を行うことが要求されると、まず、前記端末装置による利用履歴の閲覧の可否が前記利用可否確認部で確認され、そして、前記利用可否確認部で前記端末装置による利用履歴の閲覧が許可されていることが確認されると、前記履歴記録部から読み出した前記鍵管理機の利用履歴による送信信号を前記第５送信信号生成部で生成して、前記端末装置に対して、前記通信インターフェースより送信するものとしても構わない。
【００２０】
更に、前記端末装置による前記鍵管理機の利用履歴の閲覧に使用される第２アプリケーションを備え、前記通信インターフェースを通じて前記端末装置から前記鍵管理機の利用履歴の閲覧を行うことが要求されると、まず、前記端末装置による利用履歴の閲覧の可否が前記利用可否確認部で確認され、そして、前記利用可否確認部で前記端末装置による利用履歴の閲覧が許可されていることが確認されると、前記通信インターフェースより前記第２アプリケーションを要求した前記端末装置に送信した後、前記端末装置が前記第２アプリケーションを利用した入力を前記通信インターフェースで受信すると、前記第２アプリケーションを利用した入力に基づいて前記履歴記録部から読み出した前記鍵管理機の利用履歴による送信信号を前記第５送信信号生成部で生成して、前記第２アプリケーションを利用している前記端末装置に対して、前記通信インターフェースより送信するものとしても構わない。
【００２１】
又、前記登録変更確認部で設定が確認された前記登録内容を送信信号とし、前記通信インターフェースにより前記ネットワークを介して前記鍵管理機の登録内容の承認が成される承認用端末装置に送信する第３送信信号生成部と、前記通信インターフェースにより受信された前記承認用端末装置からの信号によって、前記鍵管理機の登録内容の承認／非承認を確認する承認確認部と、を備え、前記登録変更確認部で前記鍵管理機の登録内容の変更を確認したとき、変更後の前記鍵管理機の登録内容による送信信号を第３送信信号生成部で生成して、前記通信インターフェースより前記承認用端末装置に送信した後、前記通信インターフェースで受信した前記承認用端末装置からの信号より前記鍵管理機の登録内容の承認を前記承認確認部で確認すると、前記登録変更確認部で確認した前記登録内容の変更に基づいて、前記登録内容記録部内の登録内容の変更を行うものとしても構わない。
【００２２】
本発明の鍵管理システムは、複数の鍵が保持されるとともに当該複数の鍵の貸し出しを管理する鍵管理機と、該鍵管理機とネットワークを介して接続される端末装置と、を備える鍵管理システムにおいて、前記鍵管理機が、上述のいずれかの鍵管理機であることを特徴とする。
【発明の効果】
【００２３】
本発明によると、ネットワークを介して端末装置より鍵管理機の使用者登録の変更を行うことができる。そして、使用者登録の変更がネットワークを介して行われることで、鍵や扉体の使用が許可された使用者が登録された鍵管理機自身で、鍵の貸し出しや返却の管理を行うことができる。よって、従来の鍵管理システムと異なり、ネットワークを介して鍵の貸し出しや返却の管理を行う必要がないため、鍵管理機用サーバの負担が低減する。
【００２４】
又、ネットワークを介して端末装置により鍵管理機の利用履歴を閲覧することができるため、遠隔から鍵管理機の使用者の利用状況を把握することができる。更に、特定の端末装置に対して各機能の利用の可否が設定されることで、不正アクセスを防ぐことができるため、その管理上におけるセキュリティを向上させることができる。
【発明を実施するための最良の形態】
【００２５】
本発明の鍵管理システムに関する実施形態について、図面を参照して説明する。図１は、本実施形態における鍵管理システムの構成を示すブロック図である。図２は、図１の鍵管理システムにおける鍵管理機用サーバの内部構成を示すブロック図である。図３は、図１の鍵管理システムにおける鍵管理機の内部構成を示すブロック図である。図４は、鍵管理機の構成を示す外観正面図である。
【００２６】
図１に示す鍵管理システムは、専用回線などを用いた通信ネットワーク１に接続される鍵管理機用サーバ２と、通信ネットワーク１に接続される複数の店舗内ＬＡＮ（Local Area Network）３と、各店舗内ＬＡＮ３に接続される鍵管理機４及び役員用端末装置５及び一般端末装置６と、を備える。尚、本実施形態では、役員用端末装置５について、全ての店舗内ＬＡＮ３に設置されていないものとする場合を想定して説明する。
【００２７】
この鍵管理システムを構成するための鍵管理機用サーバ２は、図２に示すように、通信ネットワーク１と接続される通信インターフェース２１と、端末装置５，６それぞれに対して利用可能な鍵管理機４の機能を記録した利用機能テーブル２２と、各鍵管理機４それぞれにおいて登録された使用者に関する情報を記録した登録内容テーブル２３と、各鍵管理機４それぞれにおいて管理されている鍵の利用履歴を記録した利用履歴テーブル２４と、端末装置５，６による利用が許可される機能であるか否かを確認する利用可否確認部２５と、通信インターフェース２１で受信した信号より鍵管理機４の登録内容の変更を確認する登録変更確認部２６と、通信インターフェース２１で受信した信号より鍵管理機４からの利用履歴を取得する利用履歴取得部２７と、通信インターフェース２１によって受信した信号より役員用端末装置５による承認を確認する承認確認部２８と、鍵管理機４の登録内容による送信信号である登録用信号を生成する登録用信号生成部２９と、鍵管理機４の利用履歴を要求するための送信信号である履歴要求信号を生成する履歴要求信号生成部３０と、鍵管理機４への使用者登録を行う際に使用される登録用アプリケーション３１と、鍵管理機４の利用履歴を閲覧する際に使用される閲覧用アプリケーション３２と、を備える。
【００２８】
又、鍵管理機４は、図３に示すように、鍵４０を保持する複数の鍵保持部４１と、鍵保持部４１の管理を行うための扉体４２と、鍵保持部４１の解錠／施錠を行う鍵保持部用解施錠設定部４３と、扉体４２の解錠／施錠を行う扉体用解施錠設定部４４と、通信ネットワーク１と接続される通信インターフェース４５と、入力するためのキーやカードリーダなどの入力インターフェース４６と、出力するためのモニタやプリンタなどの出力インターフェース４７と、鍵保持部４１及び扉体４２の解錠／施錠が許可されるように登録された使用者を記録する使用者登録テーブル４８と、鍵保持部４１及び扉体４２の解錠／施錠による利用者の履歴を記録する利用履歴テーブル４９と、使用者登録テーブル４８の登録内容の変更を行う登録内容変更部５０と、利用履歴テーブル４９内の記録内容の読み出し及び書き込みを行う利用履歴記録制御部５１と、を備える。
【００２９】
更に、この鍵管理機４は、図４に示すように、鍵４０を保持する鍵保持部４１と、複数の鍵保持部４１が配列した鍵管理部５２と、鍵管理部５２を覆うことで鍵保持部４１の管理を行う扉体４２と、カードリーダのカード挿入口５３と、キー入力するためのキー操作部５４と、キー操作部５４により入力されたキーや使用者への指示内容などが表示される表示部５５と、利用履歴などを印字出力する印字出力部５６と、を備える。このとき、カード挿入口５３、キー操作部５４、表示部５５、及び印字出力部５６は、鍵管理機４の扉体４２に覆われていない部分に設置される。
【００３０】
尚、図４のように構成される鍵管理機４は、カード挿入口５３にＩＣカードや磁気カードなどのカードが挿入されて、そのカードに記録されているコードが不図示のカードリーダによって読み出されるか、又は、キー操作部５４によるキー入力されることにより、利用者のコードの入力が成される。即ち、カード挿入口５３を含むカードリーダとキー操作部５４が入力インターフェース４６として動作する。
【００３１】
そして、この入力インターフェース４６を通じて入力されたコードは、鍵保持部用解施錠設定部４３及び扉体用解施錠設定部４４それぞれに与えられることで、使用者登録テーブル４８を参照して、入力されたコードに応じた使用者を確認する。即ち、扉体４２が閉じられているとき、扉体用解施錠設定部４４で、扉体４２の解除が許可された使用者である場合は、扉体４２の解錠が成される。よって、使用者は解除された扉体４２を開いて、鍵管理部５２に並んだ鍵保持部４１の利用が可能な状態とすることができる。
【００３２】
又、扉体４２が開いているときは、鍵保持部用解施錠設定部４３において、複数の鍵保持部４１のいずれで管理される鍵４０の貸し出しが許可されている使用者かが確認される。そして、確認した使用者に対して使用許可された鍵４０を保持している鍵保持部４１の解錠が成され、使用者は、解錠された鍵保持部４１より鍵４０の貸し出し又は鍵保持部４１へ鍵４０の返却それぞれを行うことができる。
【００３３】
鍵４０が貸し出される場合は、使用者によって鍵４０が鍵保持部４１から取り出された後に鍵保持部４１が元の状態に戻されると、鍵保持部用解施錠設定部４３によって鍵保持部４１が鍵管理部５２に施錠される。その後、使用者によって扉体４２が閉じられることで、鍵管理部５２を扉体４２が覆う状態となると、扉体用解施錠設定部４４によって扉体４２が施錠される。尚、鍵４０が取り出されることなく鍵保持部４１が元の状態に戻されると、鍵保持部４１の施錠が成されずに、表示部５５にエラー表示が成される。
【００３４】
又、鍵４０が返却される場合は、使用者によって鍵４０が鍵保持部４１に保持されるように戻された後に鍵保持部４１が元の状態に戻されると、鍵保持部用解施錠設定部４３によって鍵保持部４１が鍵管理部５２に施錠される。その後、使用者によって扉体４２が閉じられることで、鍵管理部５２を扉体４２が覆う状態となると、扉体用解施錠設定部４４によって扉体４２が施錠される。尚、鍵４０が鍵保持部４１に戻されることなく鍵保持部４１が元の状態に戻されると、鍵保持部４１の施錠が成されずに、表示部５５にエラー表示が成される。
【００３５】
このようにして、鍵４０の貸し出し及び返却が成されるとともに、扉体４２の解錠／施錠が行われると、この鍵４０の貸し出し及び返却が成されたことが鍵保持部用解施錠設定部４３による制御動作によって確認されるとともに、扉体４２の解錠／施錠が扉体用解施錠設定部４４の制御動作によって確認される。よって、この鍵保持部用解施錠設定部４３及び扉体用解施錠設定部４４の制御動作に基づいて、鍵４０の貸し出し及び返却と扉体４２の解錠／施錠とが、利用履歴テーブル４９に利用履歴として時系列的に記録される。
【００３６】
又、キー操作部５４によって、登録される使用者のコードを含む使用者情報、使用者が利用許可された鍵４０に対する鍵保持部４１、及び扉体４２の解錠の許可／禁止といった登録内容が入力される。そして、このキー操作部５４によって使用者に対する登録内容が入力されると、入力された登録内容が登録内容変更部５０によって確認される。そして、使用者登録テーブル４８に記録された登録内容が、入力された登録内容に応じて変更される。
【００３７】
このように構成される鍵管理機４は、通信インターフェース４５によって通信ネットワーク１と接続されることで、通信ネットワーク１上の端末装置の一つとして動作する。以下では、上述の鍵管理機用サーバ２及び鍵管理機４が含まれる鍵管理システムの各ブロックの動作について、詳細に説明する。
【００３８】
＜使用者の登録＞
まず、端末装置を用いた鍵管理機４に対する使用者の登録動作について、図面を参照して説明する。尚、以下では、一般端末装置６を通じて通信ネットワーク１を介した鍵管理機４の使用者の登録動作を説明する。又、図５は、鍵管理機に対する使用者の登録動作を一般端末装置で行うときの各ブロックの動作を示すフローチャートである。
【００３９】
まず、一般端末装置６においてブラウザが起動された後（ＳＴＥＰ１）、鍵管理機用サーバ２に記録された登録用アプリケーション３１を要求する信号が送信される（ＳＴＥＰ２）。鍵管理機用サーバ２では、登録用アプリケーション３１を要求する信号を通信インターフェース２１で受信すると（ＳＴＥＰ３）、利用可否確認部２５において、通信インターフェース２１で受信した信号により一般端末装置６のＩＰアドレスを確認して、信号を送信した一般端末装置６を特定する。尚、ＩＰアドレスによって端末装置を特定する例を挙げたが、ＭＡＣ（Media Access Control）アドレスによって端末装置を特定するものとしても構わない。そして、利用機能テーブル２２を参照することで、特定した一般端末装置６による鍵管理機４への使用者登録が許可されているか否かが確認される（ＳＴＥＰ４）。
【００４０】
このとき、使用者登録が許可されていないことが確認されると（Ｎｏ）、一般端末装置６に対して登録用アプリケーション３１の利用が禁止されていることを示す信号を通信インターフェース２１より一般端末装置６に送信し（ＳＴＥＰ５）、鍵管理機用サーバ２における動作を終了する。又、使用者登録が許可されていることが確認されると（Ｙｅｓ）、登録用アプリケーション３１が通信インターフェース２１より一般端末装置６に送信される（ＳＴＥＰ６）。
【００４１】
そして、一般端末装置６では、ＳＴＥＰ５で鍵管理機用サーバ２より送信された信号を受信すると（ＳＴＥＰ７）、ブラウザを通じて使用者登録が禁止されていることを示す表示を行って（ＳＴＥＰ８）、動作を終了する。又、ＳＴＥＰ６で鍵管理機用サーバ２より送信された登録用アプリケーション３１が受信されると（ＳＴＥＰ９）、登録用アプリケーション３１が起動して、まず、登録変更を行う鍵管理機４を指定するための表示がなされる。そして、登録変更を行う鍵管理機４の指定が行われると（ＳＴＥＰ１０）、鍵管理機４を指定する信号が送信される（ＳＴＥＰ１１）。
【００４２】
管理機用サーバ２では、鍵管理機４を指定する信号を通信インターフェース２１で受信すると（ＳＴＥＰ１２）、登録変更確認部２６が、指定された鍵管理機４を確認して、登録内容テーブル２３より指定された鍵管理機４の登録内容を読み出す（ＳＴＥＰ１３）。そして、通信インターフェース２１より鍵管理機４の登録内容を一般端末装置６に送信する（ＳＴＥＰ１４）。この鍵管理機４の登録内容を一般端末装置６が受信すると（ＳＴＥＰ１５）、指定した鍵管理機４の登録内容を表示して、登録内容の変更を入力することを要求する（ＳＴＥＰ１６）。
【００４３】
そして、一般端末装置６への入力操作が成されることにより、鍵管理機４に既に登録されている使用者については、登録の削除や、利用可能な鍵４０の変更又は追加や、扉体４２の解錠許可又は禁止の変更といった各種情報が入力され、未だ登録されていない使用者については、利用可能な鍵４０の指定や扉体４２の解錠許可又は禁止の指定といった各種情報が入力される（ＳＴＥＰ１７）。このようにして、鍵管理機４の登録内容を変更する各種情報が一般端末装置６に入力されると、変更された鍵管理機４の登録内容が鍵管理機用サーバ２に送信される（ＳＴＥＰ１８）。
【００４４】
鍵管理機用サーバ２では、変更された鍵管理機４の登録内容を通信インターフェース２１で受信すると（ＳＴＥＰ１９）、変更された鍵管理機４の登録内容を登録変更確認部２６で一時的に格納する。そして、登録変更確認部２６で一時的に格納した鍵管理機４の登録内容の承認を役員用端末装置５で受けるために、承認確認部２８によって、変更された鍵管理機４の登録内容と変更を指示された鍵管理機４を情報として備える承認要求信号を生成する（ＳＴＥＰ２０）。このように承認確認部２８で生成された承認要求信号が、通信インターフェース２１より役員用端末装置５に送信される（ＳＴＥＰ２１）。
【００４５】
役員用端末装置５では、鍵管理機用サーバ２より送信される承認要求信号を受信すると（ＳＴＥＰ２２）、承認要求信号より、変更が指示された鍵管理機４と変更する登録内容とが表示され、承認の可否を決定する入力が要求される。そして、変更した登録内容を鍵管理機４に登録することを否認する入力が成されると（ＳＴＥＰ２３）、変更を否認する信号を鍵管理機用サーバ２に送信する（ＳＴＥＰ２５）。又、変更した登録内容を鍵管理機４に登録することを承認する入力が成されると（ＳＴＥＰ２４）、変更を承認する信号を鍵管理機用サーバ２に送信する（ＳＴＥＰ２６）。
【００４６】
鍵管理機用サーバ２は、役員用端末装置５からＳＴＥＰ２５で送信される変更を否認する信号を通信インターフェース２１で受信すると（ＳＴＥＰ２７）、承認確認部２８において、登録内容の変更が否認されたことを確認するため、登録変更確認部２６で一時的に格納した鍵管理機４の登録内容を消去する（ＳＴＥＰ２８）。そして、この登録内容の変更が否認されたことを示す信号を、通信インターフェース２１から一般端末装置６に送信して（ＳＴＥＰ２９）、動作を終了する。又、一般端末装置６においては、登録内容の変更が否認されたことを示す信号を受信することで（ＳＴＥＰ３０）、登録の変更が否認されたことを表示して（ＳＴＥＰ３１）、動作を終了する。
【００４７】
又、鍵管理機用サーバ２は、役員用端末装置５からＳＴＥＰ２６で送信される変更を承認する信号を通信インターフェース２１で受信すると（ＳＴＥＰ３２）、承認確認部２８において、登録内容の変更が承認されたことを確認するため、登録変更確認部２６で一時的に格納した鍵管理機４の登録内容に応じて、登録内容テーブル２３の記録内容を変更する（ＳＴＥＰ３３）。又、この登録変更確認部２６で一時的に格納した鍵管理機４の登録内容による登録用信号が登録用信号生成部２９で生成されて（ＳＴＥＰ３４）、通信インターフェース２１より登録内容の変更が指定された鍵管理機４に送信される（ＳＴＥＰ３５）。
【００４８】
鍵管理機４は、登録用信号を通信インターフェース４５で受信すると（ＳＴＥＰ３６）、登録内容変更部５０において、受信した登録用信号の内容が確認され、確認した内容に応じて、使用者登録テーブル４８の登録内容の変更を行う（ＳＴＥＰ３７）。使用者登録テーブル４８の登録内容の変更が完了すると、登録完了を示す信号を登録内容変更部５０が生成して、通信インターフェース４５より鍵管理機用サーバ２に送信する（ＳＴＥＰ３８）。鍵管理機用サーバ２では、登録完了を示す信号を通信インターフェース２１で受信すると（ＳＴＥＰ３９）、この登録完了を示す信号を更に通信インターフェース２１より一般端末装置６に送信した後（ＳＴＥＰ４０）、動作を終了する。又、一般端末装置６においても、この登録完了を示す信号を受信することで（ＳＴＥＰ４１）、鍵管理機４での登録内容の変更が行われたことを認識するため、動作が完了したことを表示して（ＳＴＥＰ４２）、動作を終了する。
【００４９】
尚、利用機能テーブル２２によって、鍵管理機４毎に使用者登録を行うことのできる一般端末装置６が指定されているものとしても構わない。このとき、例えば、ＳＴＥＰ３において、利用可否確認部２５が一般端末装置６のＩＰアドレスを確認すると、利用機能テーブル２２を参照することで、特定した一般端末装置６に対して使用者登録が許可されている鍵管理機４を確認して、一般端末装置６に報知するものとしても構わない。更に、確認した鍵管理機４の登録内容を登録内容テーブル２３より読み出して、ＳＴＥＰ６で登録用アプリケーション３１と共に、一般端末装置６に送信するものとしても構わない。
【００５０】
又、利用可否確認部２５において、一般端末装置６のＩＰアドレスやＭＡＣアドレスを確認することで、鍵管理機４への使用者登録の許可又は禁止を判断する代わりに、登録用アプリケーション３１を送信した後に、パスワードやＩＤといった個人情報の入力を要求し、一般端末装置６を介して入力された個人情報に基づいて、鍵管理機４への使用者登録の許可又は禁止を判断するものとしても構わない。
【００５１】
更に、ＩＰアドレスやＭＡＣアドレスによって、登録用アプリケーション３１の送信の可否を判断することで、登録可能な端末装置であるか判断した後、登録用アプリケーション３１が送信された一般端末装置６の利用者の個人情報を確認することで、更に登録可能な個人であるかを判断するようにしても構わない。
【００５２】
尚、一般端末装置６でなく役員用端末装置５によっても鍵管理機４の登録内容の変更を行うことができる。このとき、役員用端末装置５であることをＩＰアドレス又は個人情報より確認すると、役員用端末装置５での承認動作を行うことなく、鍵管理機４の登録内容の変更が行われる。
【００５３】
＜利用履歴の閲覧＞
まず、端末装置を用いた鍵管理機４の利用履歴の閲覧動作について、図面を参照して説明する。尚、以下では、役員用端末装置５を通じて通信ネットワーク１を介した鍵管理機４の利用履歴の閲覧動作を説明する。又、図６は、鍵管理機の利用履歴の閲覧動作を役員用端末装置で行うときの各ブロックの動作を示すフローチャートである。
【００５４】
まず、役員用端末装置５においてブラウザが起動された後（ＳＴＥＰ１０１）、鍵管理機用サーバ２に記録された閲覧用アプリケーション３２を要求する信号が送信される（ＳＴＥＰ１０２）。鍵管理機用サーバ２では、閲覧用アプリケーション３２を要求する信号を通信インターフェース２１で受信すると（ＳＴＥＰ１０３）、利用可否確認部２５において、通信インターフェース２１で受信した信号により役員用端末装置５のＩＰアドレスを確認して、信号を送信した役員用端末装置５を特定する。尚、ＩＰアドレスによって端末装置を特定する例を挙げたが、ＭＡＣアドレスによって端末装置を特定するものとしても構わない。そして、利用機能テーブル２２を参照することで、特定した役員用端末装置５による鍵管理機４の利用履歴の閲覧が許可されているか否かが確認される（ＳＴＥＰ１０４）。
【００５５】
このとき、利用履歴の閲覧が許可されていないことが確認されると（Ｎｏ）、役員用端末装置５に対して閲覧用アプリケーション３２の利用が禁止されていることを示す信号を通信インターフェース２１より役員用端末装置５に送信し（ＳＴＥＰ１０５）、鍵管理機用サーバ２における動作を終了する。又、利用履歴の閲覧が許可されていることが確認されると（Ｙｅｓ）、閲覧用アプリケーション３２が通信インターフェース２１より役員用端末装置５に送信される（ＳＴＥＰ１０６）。
【００５６】
そして、役員用端末装置５では、ＳＴＥＰ１０５で鍵管理機用サーバ２より送信された信号を受信すると（ＳＴＥＰ１０７）、ブラウザを通じて利用履歴の閲覧が禁止されていることを示す表示を行って（ＳＴＥＰ１０８）、動作を終了する。又、ＳＴＥＰ１０６で鍵管理機用サーバ２より送信された閲覧用アプリケーション３２が受信されると（ＳＴＥＰ１０９）、閲覧用アプリケーション３２が起動して、まず、利用履歴の閲覧を行う鍵管理機４を指定するための表示がなされる。そして、利用履歴の閲覧を行う鍵管理機４の指定が行われると（ＳＴＥＰ１１０）、この鍵管理機４を指定する信号が送信される（ＳＴＥＰ１１１）。
【００５７】
管理機用サーバ２では、鍵管理機４を指定する信号を通信インターフェース２１で受信すると（ＳＴＥＰ１１２）、履歴取得部２７において、利用履歴を閲覧するために指定された鍵管理機４を確認し、履歴要求信号生成部３０において、確認した鍵管理機４に対して利用履歴の送信を要求する履歴要求信号を生成する（ＳＴＥＰ１１３）。そして、履歴取得部２７で確認した鍵管理機４に対して、通信インターフェース２１より履歴要求信号を送信する（ＳＴＥＰ１１４）。
【００５８】
鍵管理機４は、履歴要求信号を通信インターフェース４５で受信すると（ＳＴＥＰ１１５）、利用履歴記録制御部５１によって利用履歴テーブル４９に記録されている利用履歴が読み出されて（ＳＴＥＰ１１６）、通信インターフェース４５より鍵管理機用サーバ２に送信される（ＳＴＥＰ１１７）。このとき、鍵管理機４では、最新となる利用状況から一定期間前までの利用状況を、利用履歴として利用履歴テーブル４９より読み出す。
【００５９】
鍵管理機用サーバ２は、鍵管理機４から送信される利用履歴を通信インターフェース２１で受信すると（ＳＴＥＰ１１８）、履歴取得部２７において、利用履歴テーブル２４内の利用履歴と比較して、利用履歴テーブル２４内に記録されていない期間の利用状況を利用履歴テーブル２４に記録することによって、利用履歴テーブル２４の記録更新を行う（ＳＴＥＰ１１９）。又、履歴取得部２７で取得した鍵管理機４から送信された利用履歴が、通信インターフェース２１より役員用端末装置５に送信される（ＳＴＥＰ１２０）。
【００６０】
役員用端末装置５は、指定した鍵管理機４の利用履歴を鍵管理機用サーバ２より受信すると（ＳＴＥＰ１２１）、ブラウザによって利用履歴の表示が成される（ＳＴＥＰ１２２）。そして、利用履歴の閲覧が終了することが入力された場合（ＳＴＥＰ１２３）、利用履歴の閲覧を終了する信号を鍵管理機用サーバ２に送信して（ＳＴＥＰ１２５）、動作を終了する。又、更に鍵管理機用サーバ２より受信していない別の期間の利用履歴の表示を要求する入力が成された場合（ＳＴＥＰ１２４）、利用履歴の送信を要求する信号を鍵管理機用サーバ２に送信する（ＳＴＥＰ１２６）。
【００６１】
そして、鍵管理機用サーバ２は、ＳＴＥＰ１２５で役員用端末装置５より送信された閲覧の終了を示す信号を通信インターフェース２１で受信すると（ＳＴＥＰ１２７）、動作を終了する。又、ＳＴＥＰ１２６で役員用端末装置５より送信された利用履歴の送信を要求する信号を通信インターフェース２１で受信すると（ＳＴＥＰ１２８）、利用履歴取得部２７において要求された期間が確認され、確認された期間の利用履歴が利用履歴テーブル２４より読み出される（ＳＴＥＰ１２９）。
【００６２】
その後、ＳＴＥＰ１２０に移行して、履歴取得部２７で利用履歴テーブル２４より読み出した利用履歴が、通信インターフェース２１より役員用端末装置５に送信される。そして、上述したＳＴＥＰ１２１以降の動作が、ＳＴＥＰ１２２で閲覧の終了が入力されるまで、役員用端末装置５及び鍵管理機用サーバ２それぞれで繰り返し行われることで、指定した鍵管理機４の利用履歴の閲覧が行われる。
【００６３】
尚、利用機能テーブル２２によって、鍵管理機４毎に利用履歴を閲覧することができる役員用端末装置５が指定されているものとしても構わない。このとき、例えば、ＳＴＥＰ１０３において、利用可否確認部２５が役員用端末装置５のＩＰアドレスを確認すると、利用機能テーブル２２を参照することで、特定した役員用端末装置５に対して利用履歴の閲覧が許可されている鍵管理機４を確認して、役員用端末装置５に報知するものとしても構わない。更に、利用履歴の閲覧が許可されていることを確認した鍵管理機４を報知するための信号を、ＳＴＥＰ１０６で閲覧用アプリケーション３２と共に、役員用端末装置５に送信するものとしても構わない。
【００６４】
又、利用可否確認部２５において、役員用端末装置５のＩＰアドレスやＭＡＣアドレスを確認することで、鍵管理機４の利用履歴の閲覧の許可又は禁止を判断する代わりに、閲覧用アプリケーション３２を送信した後に、パスワードやＩＤといった個人情報の入力を要求し、役員用端末装置５を介して入力された個人情報に基づいて、鍵管理機４の利用履歴の閲覧の許可又は禁止を判断するものとしても構わない。
【００６５】
尚、ＩＰアドレスやＭＡＣアドレスによって、閲覧用アプリケーション３２の送信の可否を判断することで、利用履歴の閲覧可能な端末装置であるか判断した後、閲覧用アプリケーション３２が送信された役員用端末装置５の利用者の個人情報を確認することで、更に利用履歴の閲覧可能な個人であるかを判断するようにしても構わない。
【００６６】
更に、鍵管理機４の利用履歴テーブル４９に記録される利用履歴が、所定期間毎に、鍵管理機用サーバ２に送信されて、利用履歴テーブル２４内の履歴内容の記録が更新されるものとしても構わない。又、鍵管理機４の利用履歴テーブル４９に記録される利用履歴が鍵管理機用サーバ２に送信されて、利用履歴テーブル２４に記録されると、送信された利用履歴が利用履歴テーブル４９から消去されるものとしても構わない。
【００６７】
尚、役員用端末装置５でなく一般端末装置６によっても鍵管理機４の利用履歴の閲覧を行うことができる。このとき、一般端末装置６であることをＩＰアドレスやＭＡＣアドレスより確認すると、利用履歴が閲覧可能な一般端末装置６であるか利用可否確認部２５で確認されるものとしても構わない。又、個人情報が入力されて役員が利用中であることを利用可否確認部２５で確認したときには、一般端末装置６で利用履歴が閲覧可能であると判断されるものとしても構わない。
【００６８】
このように、本実施形態の鍵管理システムによると、鍵管理機用サーバ２を介して鍵管理機４と通信接続することで、役員用端末装置５や一般端末装置６によって、遠隔地より登録内容の変更や利用履歴の閲覧を行うことができる。この鍵管理システムにおける鍵管理機用サーバ及び鍵管理機に対して、更に機能を追加することで、より多様なシステムを構成することができる。以下において、更に機能が追加された鍵管理機用サーバ及び鍵管理機の例について、その構成と動作について簡単に説明する。
【００６９】
＜鍵管理機用サーバの別構成の第１例＞
図１に示す鍵管理システムにおける鍵管理機用サーバ２に対して、役員用端末装置５や一般端末装置６による鍵管理機４の遠隔操作を可能とする機能が付加された例を、以下に図面を参照して説明する。図７は、本例における鍵管理機用サーバの構成を示すブロック図である。図７の鍵管理機用サーバにおいて、図２の鍵管理機用サーバと同一となる部分については、同一の符号を付してその詳細な説明は省略する。
【００７０】
本例における鍵管理機用サーバ２は、図７に示すように、図２の構成に更に、役員用端末装置５や一般端末装置６から鍵管理機４の遠隔操作が要求されたときに鍵管理機４に対して鍵４０の利用可能とする鍵保持部４１及び扉体４２の解錠命令を行う遠隔操作管理部３３と、鍵管理機４の遠隔操作を行う際に使用される遠隔操作用アプリケーション３４と、が追加された構成となる。
【００７１】
このように構成される鍵管理機用サーバ２を介した鍵管理機４の遠隔操作動作について、図８のフローチャートを参照して以下に説明する。尚、図８のフローチャートでは、役員用端末装置５を利用した遠隔操作動作の例を示すが、一般端末装置６によっても同様にして遠隔操作動作を行うことができる。
【００７２】
まず、役員用端末装置５においてブラウザが起動された後（ＳＴＥＰ２０１）、鍵管理機用サーバ２に記録された遠隔操作用アプリケーション３４を要求する信号が送信される（ＳＴＥＰ２０２）。鍵管理機用サーバ２では、遠隔操作用アプリケーション３４を要求する信号を通信インターフェース２１で受信すると（ＳＴＥＰ２０３）、利用可否確認部２５において、通信インターフェース２１で受信した信号により役員用端末装置５のＩＰアドレスを確認して、信号を送信した役員用端末装置５を特定する。尚、ＩＰアドレスによって端末装置を特定する例を挙げたが、ＭＡＣアドレスによって端末装置を特定するものとしても構わない。そして、利用機能テーブル２２を参照することで、特定した役員用端末装置５による鍵管理機４の遠隔操作が許可されているか否かが確認される（ＳＴＥＰ２０４）。
【００７３】
このとき、遠隔制御が許可されていないことが確認されると（Ｎｏ）、役員用端末装置５に対して遠隔操作用アプリケーション３４の利用が禁止されていることを示す信号を通信インターフェース２１より役員用端末装置５に送信し（ＳＴＥＰ２０５）、鍵管理機用サーバ２における動作を終了する。又、遠隔操作が許可されていることが確認されると（Ｙｅｓ）、遠隔操作用アプリケーション３４が通信インターフェース２１より役員用端末装置５に送信される（ＳＴＥＰ２０６）。
【００７４】
そして、役員用端末装置５では、ＳＴＥＰ２０５で鍵管理機用サーバ２より送信された信号を受信すると（ＳＴＥＰ２０７）、ブラウザを通じて遠隔操作が禁止されていることを示す表示を行って（ＳＴＥＰ２０８）、動作を終了する。又、ＳＴＥＰ２０６で鍵管理機用サーバ２より送信された遠隔操作用アプリケーション３４が受信されると（ＳＴＥＰ２０９）、遠隔操作用アプリケーション３４が起動して、まず、遠隔操作の対象となる鍵管理機４を指定するための表示がなされる。そして、利用履歴の閲覧を行う鍵管理機４の指定が行われると（ＳＴＥＰ２１０）、この鍵管理機４を指定する信号が送信される（ＳＴＥＰ２１１）。
【００７５】
管理機用サーバ２では、鍵管理機４を指定する信号を通信インターフェース２１で受信すると（ＳＴＥＰ２１２）、遠隔操作管理部３３において、遠隔操作することが指定された鍵管理機４を確認し、確認した鍵管理機４に対して現在の状態を確認するための状態確認信号を生成する（ＳＴＥＰ２１３）。そして、遠隔操作管理部３３で確認した鍵管理機４に対して、通信インターフェース２１より状態確認信号を送信する（ＳＴＥＰ２１４）。鍵管理機４は、状態確認信号を通信インターフェース４５によって受信すると（ＳＴＥＰ２１５）、鍵保持部４１による鍵４０の保管状況や扉体４２の開閉状態などといった現在の鍵管理機４の状態を示す信号を生成して（ＳＴＥＰ２１６）、通信インターフェース４５より送信する（ＳＴＥＰ２１７）。
【００７６】
鍵管理機用サーバ２は、鍵管理機４から送信される信号を通信インターフェース２１で受信すると（ＳＴＥＰ２１８）、遠隔操作管理部３３で鍵管理機４の現在の状態を確認するとともに（ＳＴＥＰ２１９）、確認した鍵管理機４の現在の状態を示す信号を通信インターフェース２１より役員用端末装置５に送信する（ＳＴＥＰ２２０）。役員用端末装置５は、この鍵管理機４の現在の状態を示す信号を受信すると（ＳＴＥＰ２２１）、鍵管理機４に対して現在可能な操作が指定できるような表示を行う（ＳＴＥＰ２２２）。
【００７７】
即ち、ＳＴＥＰ２２２では、例えば、扉体４２が施錠された状態であることが確認されると、扉体４２を解錠するための入力が成されるような表示が成される。又、例えば、扉体４２が解錠された状態であることが確認されると、貸し出しが可能な鍵４０を保持している鍵保持部４１を表示し、この鍵保持部４１を解錠するための入力が成されるようにする。更に、鍵４０の貸し出し状況だけでなく、鍵保持部４１の解錠／施錠状態や、解錠することができる鍵保持部４１についても表示されるものとしても構わない。
【００７８】
そして、役員用端末装置５において、鍵保持部４１又は扉体４２の解錠などといった鍵管理機４への操作が入力されると（ＳＴＥＰ２２３）、鍵管理機４への操作内容が送信される（ＳＴＥＰ２２４）。鍵管理機用サーバ２が、通信インターフェース２１で鍵管理機４への操作内容を受信すると（ＳＴＥＰ２２５）、遠隔操作管理部３３で操作内容を確認し、確認した操作内容に基づいて、指定された鍵管理機４において解除される鍵保持部４１又は扉体４２の解除命令を確認する（ＳＴＥＰ２２６）。そして、この解除命令を、指定された鍵管理機４に対して通信インターフェース２１より送信する（ＳＴＥＰ２２７）。尚、鍵保持部４１への解除命令の場合、鍵４０の貸し出し又は返却のいずれであるかを示す情報も共に、役員用端末装置５、鍵管理機用サーバ２、及び鍵管理機４の間で送受信される。
【００７９】
鍵管理機４は、通信インターフェース４５によって鍵管理機用サーバ２からの解除命令を受信すると（ＳＴＥＰ２２８）、鍵保持部用解施錠設定部４３又は扉体用解施錠設定部４４が動作することで、解錠が指定された鍵保持部４１又は扉体４２の解錠が行われる（ＳＴＥＰ２２９）。そして、鍵保持部４１又は扉体４２の解錠が成された現在の状態を示す信号を通信インターフェース４５より鍵管理機用サーバ２に送信する（ＳＴＥＰ２１６及びＳＴＥＰ２１７）。
【００８０】
よって、鍵管理機用サーバ２では、ＳＴＥＰ２１８〜ＳＴＥＰ２２０の動作が行われるとともに、役員用端末装置５では、ＳＴＥＰ２２１及びＳＴＥＰ２２２の動作が行われる。これにより、役員用端末装置５では、再び、鍵管理機４への操作が入力可能な状態となる。そして、役員用端末装置５で鍵管理機４への操作が入力される場合は、ＳＴＥＰ２２３以降の動作が、役員用端末装置５、鍵管理機用サーバ２、及び鍵管理機４それぞれで行われる。又、役員用端末装置５で鍵管理機４への操作が入力されない場合は、役員用端末装置５及び鍵管理機用サーバ２それぞれは待機状態となる。
【００８１】
そして、鍵管理機４は、解錠されていた鍵保持部４１の施錠が行われた場合（ＳＴＥＰ２３０）、鍵保持部４１が施錠された現在の状態を示す鍵管理機信号を通信インターフェース４５より送信する（ＳＴＥＰ２１６及びＳＴＥＰ２１７）。この鍵保持部４１が施錠されたことを示す信号を通信インターフェース２１で受信する鍵管理機用サーバ２は、ＳＴＥＰ２１８以降の動作を行うこととなる。これに応じて、役員用端末装置５では、ＳＴＥＰ２２１以降の動作を行うこととなる。
【００８２】
又、鍵管理機４は、鍵保持部４１が全て施錠された後に扉体４２が施錠された場合（ＳＴＥＰ２３１）、扉体４２が施錠されたことを示す信号を通信インターフェース４５より送信する（ＳＴＥＰ２３２）。鍵管理機用サーバ２は、この扉体４２が施錠されたことを示す信号を通信インターフェース２１で受信すると（ＳＥＴＰ２３３）、遠隔操作管理部３３で遠隔操作を完了するための遠隔操作完了信号を生成する（ＳＴＥＰ２３４）。そして、この遠隔操作完了信号を通信インターフェース２１より役員用端末装置５に送信して（ＳＴＥＰ２３５）、動作を終了する。役員用端末装置５は、遠隔操作完了信号を受信すると（ＳＴＥＰ２３６）、扉体４２が施錠されて操作が完了したことを示す表示を行い（ＳＴＥＰ２３７）、動作を終了する。
【００８３】
尚、利用機能テーブル２２によって、鍵管理機４毎に遠隔操作することができる役員用端末装置５又は一般端末装置６が指定されているものとしても構わない。このとき、例えば、ＳＴＥＰ２０３において、利用可否確認部２５が役員用端末装置５又は一般端末装置６のＩＰアドレスを確認すると、利用機能テーブル２２を参照することで、特定した役員用端末装置５又は一般端末装置６に対して遠隔操作が許可されている鍵管理機４を確認して、役員用端末装置５又は一般端末装置６に報知するものとしても構わない。更に、遠隔操作が許可されていることを確認した鍵管理機４を報知するための信号を、ＳＴＥＰ２０６で遠隔操作用アプリケーション３４と共に、役員用端末装置５又は一般端末装置６に送信するものとしても構わない。
【００８４】
又、一般端末装置６によって遠隔操作を行う場合、役員用端末装置５による承認動作が行われるものとしても構わない。即ち、遠隔操作を行うことを要求している一般端末装置６のＩＰアドレスやＭＡＣアドレス又は使用者の個人情報が、鍵管理機用サーバ２より役員用端末装置５に送信される。そして、役員用端末装置５において、承認／否認の入力が成されるとともに、入力結果が鍵管理機用サーバ２に送信される。これにより、鍵管理機用サーバ２が、遠隔操作を行うことを要求している一般端末装置６による操作が承認又は否認されたことを確認する。そして、承認された場合は一般端末装置６による遠隔操作を許可し、否認された場合は一般端末装置６による遠隔操作を禁止する。
【００８５】
更に、利用可否確認部２５において、役員用端末装置５のＩＰアドレスやＭＡＣアドレスを確認することで、鍵管理機４の遠隔操作の許可又は禁止を判断する代わりに、遠隔操作用アプリケーション３４を送信した後に、パスワードやＩＤといった個人情報の入力を要求し、役員用端末装置５を介して入力された個人情報に基づいて、鍵管理機４の遠隔操作の許可又は禁止を判断するものとしても構わない。尚、ＩＰアドレスやＭＡＣアドレスによって、遠隔操作用アプリケーション３４の送信の可否を判断することで、遠隔操作可能な端末装置であるか判断した後、遠隔操作用アプリケーション３４が送信された役員用端末装置５の利用者の個人情報を確認することで、更に遠隔操作が可能な個人であるかを判断するようにしても構わない。
【００８６】
＜鍵管理機用サーバの別構成の第２例＞
図１に示す鍵管理システムにおける鍵管理機用サーバ２に対して、各店舗の人事データの管理を可能とする機能が付加された例を、以下に図面を参照して説明する。図９は、本例における鍵管理機用サーバの構成を示すブロック図である。図９の鍵管理機用サーバにおいて、図２の鍵管理機用サーバと同一となる部分については、同一の符号を付してその詳細な説明は省略する。
【００８７】
本例における鍵管理機用サーバ２は、図９に示すように、図２の構成に更に、各店舗の従業員や役員の情報を記録した人事データテーブル３５と、人事データテーブル３５の記録内容の読み出し及び書き込みを行う人事データ記録制御部３６と、が追加された構成となる。このように構成される鍵管理機用サーバ２は、人事データテーブル３５の記録内容の変更に応じて、各店舗の鍵管理機４それぞれに対して登録される使用者の変更を行うことができる。
【００８８】
即ち、本例における鍵管理機用サーバ２を備えた鍵管理システムでは、鍵管理機用サーバ２による入力だけでなく、役員用端末装置５又は一般端末装置６による入力によっても、人事データテーブル３５における記録内容の変更が可能である。又、役員用端末装置５又は一般端末装置６による入力で、人事データテーブル３５における記録内容が変更される場合は、鍵管理機４の登録内容を変更する場合と同様にして、人事データテーブル３５の記録内容の変更を行うことのできる端末装置又は個人であることが、利用可否確認部２５で認証される。
【００８９】
そして、認証された役員用端末装置５又は一般端末装置６や鍵管理機用サーバ２への入力が成されると、指定された役員用端末装置５で人事データテーブル３５の記録内容の変更の承認処理が行われる。このとき、役員用端末装置５での承認が確認されると、鍵管理機用サーバ２では、人事データ記録制御部３６によって、承認された内容に基づいて人事データテーブル３５における記録内容が変更される。尚、役員用端末装置５からの入力の場合は、役員用端末装置５での承認処理が省略されても構わない。
【００９０】
この人事データテーブル３５における記録内容の変更が成されると、登録変更確認部２６において、登録内容テーブル２３を参照することで、人事データテーブル３５における記録内容の変更に応じて、登録内容を変更する鍵管理機４と変更する登録内容とを認識する。そして、登録内容を変更する鍵管理機４に対して、その変更する登録内容を通信インターフェース２１より送信するとともに、確認した登録内容の変更に応じて、登録内容テーブル２３における記録内容の変更を行う。これにより、鍵管理機４内の登録内容変更部５０に対して、人事データテーブル３５の変更に応じた使用者に変更されて登録されることとなる。
【００９１】
このように、本例によると、店舗の人事の変更を行うと同時に、変更された人事に応じて、各店舗の鍵管理機４の使用者の登録を同時に変更することができる。尚、本例においても、人事データテーブル３５の記録内容を役員用端末装置５又は一般端末装置６によって変更する際、役員用端末装置５又は一般端末装置６の認証が、そのＩＰアドレスやＭＡＣアドレスで行われるものであっても構わないし、役員用端末装置５又は一般端末装置６の利用者の個人情報によるものであっても構わない。更に、第１例（図７参照）における機能が追加されるものとし、役員用端末装置５又は一般端末装置６による鍵管理機４の遠隔操作を実現できるものとしても構わない。
【００９２】
尚、上述の２例を含む本実施形態において、鍵管理機用サーバ２と鍵管理機４との間の通信が、ＴＣＰ／ＩＰによるものであるとともに、鍵管理機用サーバ２と役員用端末装置５及び一般端末装置６との間の通信がＨＴＴＰ（Hyper Text Transfer Protocol）によるものであるものとしても構わない。又、これらの通信方式に限らず、別の通信方式によるものであっても構わない。
【００９３】
＜鍵管理機の別の構成例＞
図１に示す鍵管理システムにおける鍵管理機４に対して、簡易なサーバ機能が付加された例を、以下に図面を参照して説明する。図１０は、本例における鍵管理機の構成を示すブロック図である。図１０の鍵管理機において、図３の鍵管理機と同一となる部分については、同一の符号を付してその詳細な説明は省略する。
【００９４】
本例における鍵管理機４は、図１０に示すように、図３の構成に更に、端末装置５，６それぞれに対して利用可能な鍵管理機４の機能を記録した利用機能テーブル５７と、端末装置５，６による利用が許可される機能であるか否かを確認する利用可否確認部５８と、通信インターフェース２１によって受信した信号より役員用端末装置５による承認を確認する承認確認部５９と、鍵管理機４の利用履歴を閲覧する際に使用される閲覧用アプリケーション６０とが追加された構成となる。このように構成される鍵管理機４は、同じ店舗内ＬＡＮ３に接続される役員用端末装置５及び一般端末装置６と通信を行うことで、使用者登録テーブル４８の登録内容の変更や、利用履歴テーブル４９内の利用履歴の閲覧が行われる。
【００９５】
このように構成される鍵管理機４が接続されている店舗内ＬＡＮ３において、この店舗内ＬＡＮ３に接続される役員用端末装置５及び一般端末装置６が鍵管理機４と直接通信が行われる。以下では、役員用端末装置５及び一般端末装置６による、図１０の構成の鍵管理機４に対して、使用者登録テーブル４８の登録内容の変更や利用履歴テーブル４９内の利用履歴の閲覧を行う際の動作について、説明する。このとき、役員用端末装置５及び一般端末装置６には、使用者登録テーブル４８に登録を行うための登録用アプリケーション、及び、利用履歴テーブル４９の利用履歴の閲覧を行うための閲覧用アプリケーションが備えられている。
【００９６】
（使用者の登録）
まず、使用者登録テーブル４８の登録内容の変更について、図１１のフローチャートを参照して説明する。尚、以下では、同一の店舗ＬＡＮ３に接続された一般端末装置６との通信によって行われる場合を説明するが、役員用端末装置５との通信によって行われる場合も同様である。一般端末装置６では、登録用アプリケーションが起動されて（ＳＴＥＰ３０１）、登録内容の変更を行う鍵管理機４を指定するための入力が成されるとともに、変更する登録内容が入力される（ＳＥＴＰ３０２）。
【００９７】
このとき、一般端末装置６では、登録内容を変更することが許可された鍵管理機４の使用者登録テーブル４８の登録内容を記録しているものとする。よって、この記録した登録内容が読み出されて参照されることで、登録内容の変更を入力することができる。そして、一般端末装置６は、入力された変更する登録内容に関する情報を、指定した鍵管理機４の情報と共に、一時的に記録して保管する（ＳＴＥＰ３０３）。尚、ＳＴＥＰ３０１〜ＳＴＥＰ３０３までの動作については、登録内容の変更を行う鍵管理機４と接続された店舗ＬＡＮ３と接続されていない場合でも実行することができる。
【００９８】
この一般端末装置６は、指定した鍵管理機４に対する通信接続を確認すると（ＳＴＥＰ３０４）、一時的に保管している変更を行う登録内容を鍵管理機４に対して送信する（ＳＴＥＰ３０５）。鍵管理機４は、この変更を行う登録内容を通信インターフェース４５で受信すると（ＳＴＥＰ３０６）、登録内容変更部５０において、変更を行う登録内容を一時的に記録する（ＳＴＥＰ３０７）。
【００９９】
その後、利用可否確認部５８において、通信インターフェース４５で受信した信号により一般端末装置６のＩＰアドレスを確認して、信号を送信した一般端末装置６を特定する。尚、ＩＰアドレスによって端末装置を特定する例を挙げたが、ＭＡＣアドレスによって端末装置を特定するものとしても構わない。そして、利用機能テーブル５７を参照することで、特定した一般端末装置６による鍵管理機４への使用者登録が許可されているか否かが確認される（ＳＴＥＰ３０８）。
【０１００】
このとき、使用者登録が許可されていないことが確認されると（Ｎｏ）、一般端末装置６に対して登録内容の変更が禁止されていることを示す信号を通信インターフェース４５１より一般端末装置６に送信する（ＳＴＥＰ３０９）。そして、登録内容変更部５０に一時的に記録し登録内容を削除して（ＳＴＥＰ３１０）、動作を終了する。一般端末装置６では、鍵管理機４からの信号を受信すると（ＳＴＥＰ３１１）、登録内容の変更が禁止されていることを表示して（ＳＴＥＰ３１２）、動作を終了する。又、使用者登録が許可されていることが確認されると（Ｙｅｓ）、登録内容変更部５０において記録している変更する登録内容を含む承認要求信号が承認確認部５９で生成されて（ＳＴＥＰ３１３）、通信インターフェース４５より役員用端末装置５に送信される（ＳＴＥＰ３１４）。
【０１０１】
役員用端末装置５では、鍵管理機４より送信される承認要求信号を受信すると（ＳＴＥＰ２２）、図５のフローチャート同様、ＳＴＥＰ２３〜ＳＴＥＰ２６の動作を行う。即ち、承認要求信号より、変更が指示された鍵管理機４と変更する登録内容とが表示され、承認の可否を決定する入力が要求される。そして、承認する入力が成されると、変更を承認する信号を鍵管理機４に送信し、逆に、否認する入力が成されると、変更を否認する信号を鍵管理機４に送信する。
【０１０２】
鍵管理機４は、役員用端末装置５からＳＴＥＰ２５で送信される変更を否認する信号を通信インターフェース４５で受信すると（ＳＴＥＰ３１５）、承認確認部５９において、登録内容の変更が否認されたことを確認するため、登録内容変更部５０で一時的に格納した登録内容を消去する（ＳＴＥＰ３１６）。そして、この登録内容の変更が否認されたことを示す信号を、通信インターフェース４５から一般端末装置６に送信して（ＳＴＥＰ３１７）、動作を終了する。又、一般端末装置６においては、登録内容の変更が否認されたことを示す信号を受信することで（ＳＴＥＰ３１８）、登録の変更が否認されたことを表示して（ＳＴＥＰ３１９）動作を終了する。
【０１０３】
又、鍵管理機用４は、役員用端末装置５からＳＴＥＰ２６で送信される変更を承認する信号を通信インターフェース４５で受信すると（ＳＴＥＰ３２０）、承認確認部５９において、登録内容の変更が承認されたことを確認するため、登録内容変更部５０で一時的に格納した登録内容に応じて、使用者登録テーブル４８の登録内容を変更する（ＳＴＥＰ３２１）。そして、登録完了を示す信号を登録内容変更部５０が生成して、通信インターフェース４５より鍵管理機４に送信して（ＳＴＥＰ３２２）、動作を終了する。一般端末装置６では、この登録完了を示す信号を受信することで（ＳＴＥＰ３２３）、鍵管理機４での登録内容の変更が行われたことを認識するため、動作が完了したことを表示して（ＳＴＥＰ３２４）、動作を終了する。
【０１０４】
尚、役員用端末装置５によって登録内容の変更が行われる場合は、役員用端末装置５での承認動作を行うことなく、鍵管理機４の登録内容の変更が行われる。又、変更する登録内容が入力される役員用端末装置５又は一般端末装置６において、鍵管理機４の使用者登録テーブル４８の登録内容を予め記録しているものとした。しかしながら、まず、役員用端末装置５又は一般端末装置６が鍵管理機４と通信を行って、利用可否確認部５８において登録内容の変更が許可されたときにはじめて、鍵管理機４の使用者登録テーブル４８の登録内容を取得するものとしても構わない。このとき、役員用端末装置５又は一般端末装置６への入力による変更する登録内容が、役員用端末装置５又は一般端末装置６で一時的に保管されることなく、鍵管理機４に送信されるものとしても構わない。
【０１０５】
（利用履歴の閲覧）
次に、利用履歴テーブル４９の利用履歴の閲覧について、図１２のフローチャートを参照して説明する。尚、以下では、同一の店舗ＬＡＮ３に接続された役員用端末装置５との通信によって行われる場合を説明するが、一般端末装置６との通信によって行われる場合も同様である。まず、図４のフローチャートと同様、役員用端末装置５においてブラウザが起動された後（ＳＴＥＰ１０１）、鍵管理機４に記録された閲覧用アプリケーション６０を要求する信号が送信される（ＳＴＥＰ１０２）。
【０１０６】
鍵管理機４では、閲覧用アプリケーション６０を要求する信号を通信インターフェース４５で受信すると（ＳＴＥＰ４０１）、利用可否確認部５８において、通信インターフェース４５で受信した信号により役員用端末装置５のＩＰアドレスを確認して、信号を送信した役員用端末装置５を特定する。尚、ＩＰアドレスによって端末装置を特定する例を挙げたが、ＭＡＣアドレスによって端末装置を特定するものとしても構わない。そして、利用機能テーブル５７を参照することで、特定した役員用端末装置５による鍵管理機４の利用履歴の閲覧が許可されているか否かが確認される（ＳＴＥＰ４０２）。
【０１０７】
このとき、利用履歴の閲覧が許可されていないことが確認されると（Ｎｏ）、役員用端末装置５に対して閲覧用アプリケーション６０の利用が禁止されていることを示す信号を通信インターフェース２１より役員用端末装置５に送信し（ＳＴＥＰ４０３）、鍵管理機４における動作を終了する。又、利用履歴の閲覧が許可されていることが確認されると（Ｙｅｓ）、利用履歴テーブル４９に記録されている最新の利用履歴が、利用履歴記録制御部５１によって読み出される（ＳＴＥＰ４０４）。そして、読み出された利用履歴と閲覧用アプリケーション６０とが通信インターフェース４５より役員用端末装置５に送信される（ＳＴＥＰ４０５）。
【０１０８】
役員用端末装置５では、ＳＴＥＰ４０３で鍵管理機４より送信された信号を受信すると（ＳＴＥＰ１０７）、ブラウザを通じて利用履歴の閲覧が禁止されていることを示す表示を行って（ＳＴＥＰ１０８）、動作を終了する。又、ＳＴＥＰ４０５で鍵管理機４より送信された利用履歴及び閲覧用アプリケーション６０が受信されると（ＳＴＥＰ４０６）、閲覧用アプリケーション６０が起動して（ＳＴＥＰ４０７）、鍵管理着４の利用履歴が表示される（ＳＴＥＰ１２２）。
【０１０９】
そして、利用履歴の閲覧が終了することが入力された場合（ＳＴＥＰ１２３）、利用履歴の閲覧を終了する信号を鍵管理機４に送信して（ＳＴＥＰ１２５）、動作を終了する。又、更に鍵管理機４より受信していない別の期間の利用履歴の表示を要求する入力が成された場合（ＳＴＥＰ１２４）、利用履歴の送信を要求する信号を鍵管理機４に送信する（ＳＴＥＰ１２６）。
【０１１０】
鍵管理機４は、ＳＴＥＰ１２５で役員用端末装置５より送信された閲覧の終了を示す信号を通信インターフェース４５で受信すると（ＳＴＥＰ４０８）、動作を終了する。又、ＳＴＥＰ１２６で役員用端末装置５より送信された利用履歴の送信を要求する信号を通信インターフェース４５で受信すると（ＳＴＥＰ４０９）、利用履歴記録制御部５１において要求された期間が確認され、確認された期間の利用履歴が利用履歴テーブル４９より読み出される（ＳＴＥＰ４１０）。
【０１１１】
その後、利用履歴記録制御部５１で利用履歴テーブル４９より読み出した利用履歴が、通信インターフェース４５より役員用端末装置５に送信されると（ＳＴＥＰ４１１）、役員用端末装置５で受信され（ＳＴＥＰ４１２）、受信した利用履歴が表示される（ＳＴＥＰ１２２）。そして、上述したＳＴＥＰ１２２以降の動作が、ＳＴＥＰ１２３で閲覧の終了が入力されるまで、役員用端末装置５及び鍵管理機４それぞれで繰り返し行われることで、利用履歴の閲覧が行われる。
【０１１２】
尚、本例の鍵管理機４において、利用可否確認部５８で利用が許可されたことを確認される役員用端末装置５又は一般端末装置６であることを、通信要求を行った端末装置のＩＰアドレスやＭＡＣアドレスより確認するものとしたが、通信要求を行った端末装置で入力された個人情報によって確認するものとしても構わない。更に、ＩＰアドレスやＭＡＣアドレスによって、利用が許可された端末装置であることを確認した後、端末装置に入力された利用者の個人情報を確認することで、更に利用可能な個人であるかを判断するようにしても構わない。
【０１１３】
又、本実施形態において、鍵管理機用サーバ２において、登録用アプリケーション３１、閲覧用アプリケーション３２、遠隔操作用アプリケーション３４それぞれを備えるものとして、端末装置５，６より要求がある度に、利用可否確認部２５において利用可能であることが確認されたときに端末装置５，６に与えられるものとした。しかしながら、端末装置５，６に予め登録用アプリケーション３１、閲覧用アプリケーション３２、遠隔操作用アプリケーション３４それぞれを記録させるものとしても構わない。このとき、各アプリケーションを起動して入力し、その入力が鍵管理機用サーバ２に与えられたとき、各アプリケーションに応じた機能の利用の可否が、利用可否確認部２５において確認される。そして、利用が許可されているときは、許可された機能による鍵管理機４に対する各動作が鍵管理機用サーバ２を通じて行われる。
【０１１４】
更に、鍵管理機用サーバ２から端末装置５，６に対して、登録用アプリケーション３１、閲覧用アプリケーション３２、遠隔操作用アプリケーション３４それぞれが一度送信されると、端末装置５，６に記録されるものとしても構わない。このとき、端末装置５，６が鍵管理機用サーバ２からアプリケーションを受信して記録すると、次回からは、記録したアプリケーションを起動して入力する。そして、その入力が鍵管理機用サーバ２に与えられたときに、各アプリケーションに応じた機能の利用の可否が、鍵管理機用サーバ２の利用可否確認部２５において確認される。
【０１１５】
又、図１０の例のように、簡易なサーバ機能が付加された鍵管理機４についても、登録用アプリケーションと同様、閲覧用アプリケーション６０が端末装置５，６に予め記録されるものとしても構わない。更に、上述した鍵管理機用サーバ２と同様、端末装置５，６が初めて鍵管理機４に対して要求したときのみに閲覧用アプリケーション６０が端末装置５，６に送信されて記録され、二度目の要求からは、記録された閲覧用アプリケーション６０を端末装置５，６で利用するものとしても構わない。
【産業上の利用可能性】
【０１１６】
本発明は、建物の部屋や車両やＡＴＭなどの管理用の鍵を管理するための鍵管理機及び鍵管理システムに適用可能である。
【図面の簡単な説明】
【０１１７】
【図１】は、本発明の実施形他の鍵管理システムの構成を示すブロック図である。
【図２】は、図１の鍵管理システムの鍵管理機用サーバの内部構成を示すブロック図である。
【図３】は、図１の鍵管理システムの鍵管理機の内部構成を示すブロック図である。
【図４】は、図１の鍵管理システムの鍵管理機の構成を示す外観正面図である。
【図５】は、鍵管理機に対する使用者の登録動作を一般端末装置で行うときの各ブロックの動作を示すフローチャートである。
【図６】は、鍵管理機の利用履歴の閲覧動作を役員用端末装置で行うときの各ブロックの動作を示すフローチャートである。
【図７】は、図１の鍵管理システムの鍵管理機用サーバの別の構成を示すブロック図である。
【図８】は、鍵管理機に対する遠隔操作を役員用端末装置で行うときの各ブロックの動作を示すフローチャートである。
【図９】は、図１の鍵管理システムの鍵管理機用サーバの別の構成を示すブロック図である。
【図１０】は、図１の鍵管理システムの鍵管理機の別の構成を示すブロック図である。
【図１１】は、図１０に示す鍵管理機に対する使用者の登録動作を一般端末装置で行うときの各ブロックの動作を示すフローチャートである。
【図１２】は、図１０に示す鍵管理機の利用履歴の閲覧動作を役員用端末装置で行うときの各ブロックの動作を示すフローチャートである。
【符号の説明】
【０１１８】
１    通信ネットワーク
２    鍵管理機用サーバ
３    店舗内ＬＡＮ
４    鍵管理機
５    役員用端末装置
６    一般端末装置
２１    通信インターフェース
２２    利用機能テーブル
２３    登録内容テーブル
２４    利用履歴テーブル
２５    利用可否確認部
２６    登録変更確認部
２７    履歴取得部
２８    承認確認部
２９    登録用信号生成部
３０    履歴要求信号生成部
３１    登録用アプリケーション
３２    閲覧用アプリケーション
３３    遠隔操作管理部
３４    遠隔操作用アプリケーション
３５    人事データテーブル
３６    人事データ記録制御部
４０    鍵
４１    鍵保持部
４２    扉体
４３    鍵保持部用解施錠設定部
４４    扉体用解施錠設定部
４５    通信インターフェース
４６    入力インターフェース
４７    出力インターフェース
４８    使用者登録テーブル
４９    利用履歴テーブル
５０    登録内容変更部
５１    利用履歴記録制御部
５２    鍵管理部
５３    カード挿入口
５４    キー操作部
５５    表示部
５６    印字出力部
５７    利用機能テーブル
５８    利用可否確認部
５９    承認確認部
６０    閲覧用アプリケーション
【図１】
2008045349.tif 000003
【図２】
2008045349.tif 000004
【図３】
2008045349.tif 000005
【図４】
2008045349.tif 000006
【図５】
2008045349.tif 000007
【図６】
2008045349.tif 000008
【図７】
2008045349.tif 000009
【図８】
2008045349.tif 000010
【図９】
2008045349.tif 000011
【図１０】
2008045349.tif 000012
【図１１】
2008045349.tif 000013
【図１２】
2008045349.tif 000014